(57)【要約】  本開示のある特定の態様は、ビームフォーミングトレーニングプロシージャ中に使用すべき受信アンテナモードをシグナリグするための方法および装置を提供する。例えば、ワイヤレス通信のための装置は、概して、指向性送信アンテナモードを使用してワイヤレスデバイスへの送信のために出力されるべき１つまたは複数のビームフォーミングトレーニングフィールドと、ワイヤレスデバイスが、１つまたは複数のビームフォーミングトレーニングフィールドを受信するために、無指向性受信アンテナモードにあるべきかどうかのインジケーションとを有する第１のフレームを生成するように構成された処理システムと、送信のために第１のフレームを出力するように構成された第１のインターフェースとを含み得る。【特許請求の範囲】
【請求項１】
ワイヤレス通信のための装置であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成するように構成された処理システムと、
送信のために前記第１のフレームを出力するように構成された第１のインターフェースと
を備える装置。
【請求項２】
前記インジケーションは、前記第１のフレームのヘッダにおいて提供される、請求項１に記載の装置。
【請求項３】
前記処理システムは、前記装置と前記少なくとも１つのワイヤレスデバイスとの間にリンクを確立するために、ビームフォーミングトレーニングプロシージャを実行するようにさらに構成され、
前記第１のフレームは、前記装置と前記少なくとも１つのワイヤレスデバイスとの間に前記リンクを確立した後、送信のために出力される、
請求項１に記載の装置。
【請求項４】
前記ビームフォーミングトレーニングプロシージャは、セクタレベルスイープ（ＳＬＳ）プロシージャを備え、
前記１つまたは複数のビームフォーミングトレーニングフィールドは、前記ＳＬＳプロシージャの結果に基づく方向において、送信のために出力される、
請求項３に記載の装置。
【請求項５】
前記処理システムは、前記装置と前記少なくとも１つのワイヤレスデバイスとの間にリンクを確立するために、セクタレベルスイープ（ＳＬＳ）プロシージャを実行することを少なくとも開始するようにさらに構成され、
前記第１のフレームは、前記装置と前記少なくとも１つのワイヤレスデバイスとの間にリンクを確立することなく、前記ＳＬＳプロシージャの少なくとも一部を実行した後に、送信のために出力される、
請求項１に記載の装置。
【請求項６】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
請求項１に記載の装置。
【請求項７】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
請求項１に記載の装置。
【請求項８】
前記インジケーションは、前記第１のフレームのスクランブラ初期化フィールドにおける１つまたは複数のビットを介して提供される、請求項１に記載の装置。
【請求項９】
ワイヤレス通信のための装置であって、
ワイヤレスデバイスから、第１のフレームを取得するように構成された第１のインターフェースと、
前記第１のフレームの第１の部分におけるインジケーションに基づいて、前記装置に、前記第１のフレームの第２の部分における１つまたは複数のビームフォーミングトレーニングフィールドを取得するために、無指向性受信アンテナモードに切り替わることまたは無指向性受信アンテナモードに留まることを行わせるように構成された処理システムと
を備える装置。
【請求項１０】
前記第１のフレームの前記第１の部分は、ヘッダを備える、請求項９に記載の装置。
【請求項１１】
前記処理システムは、前記装置と前記ワイヤレスデバイスとの間にリンクを確立するために、ビームフォーミングトレーニングプロシージャを実行するようにさらに構成され、
前記第１のフレームは、前記装置と前記ワイヤレスデバイスとの間に前記リンクを確立した後に取得される、
請求項９に記載の装置。
【請求項１２】
前記処理システムは、前記装置と前記ワイヤレスデバイスとの間にリンクを確立するために、セクタレベルスイープ（ＳＬＳ）プロシージャを実行することを少なくとも開始するようにさらに構成され、
前記第１のフレームは、前記装置と前記ワイヤレスデバイスとの間にリンクを確立することなく、前記ＳＬＳプロシージャの少なくとも一部を実行した後に取得される、
請求項９に記載の装置。
【請求項１３】
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスと前記第２のタイプのデバイスとの両方によって復号可能である、
請求項９に記載の装置。
【請求項１４】
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスによって復号可能であるが、前記第２のタイプのデバイスによって復号可能でない、
請求項９に記載の装置。
【請求項１５】
前記インジケーションは、前記第１のフレームの前記第１の部分のスクランブラ初期化フィールドにおける１つまたは複数のビットを介して取得される、請求項９に記載の装置。
【請求項１６】
装置によるワイヤレス通信のための方法であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成することと、
送信のために前記第１のフレームを出力することと
を備える方法。
【請求項１７】
前記インジケーションは、前記第１のフレームのヘッダにおいて提供される、請求項１６に記載の方法。
【請求項１８】
前記装置と前記少なくとも１つのワイヤレスデバイスとの間にリンクを確立するために、ビームフォーミングトレーニングプロシージャを実行することをさらに備え、
ここにおいて、前記第１のフレームは、前記装置と前記少なくとも１つのワイヤレスデバイスとの間に前記リンクを確立した後、送信のために出力される、
請求項１６に記載の方法。
【請求項１９】
前記ビームフォーミングトレーニングプロシージャは、セクタレベルスイープ（ＳＬＳ）プロシージャを備え、
前記１つまたは複数のビームフォーミングトレーニングフィールドは、前記ＳＬＳプロシージャの結果に基づく方向において、送信のために出力される、
請求項１８に記載の方法。
【請求項２０】
前記装置と前記少なくとも１つのワイヤレスデバイスとの間にリンクを確立するために、セクタレベルスイープ（ＳＬＳ）プロシージャを実行することを少なくとも開始することをさらに備え、
ここにおいて、前記第１のフレームは、前記装置と前記少なくとも１つのワイヤレスデバイスとの間にリンクを確立することなく、前記ＳＬＳプロシージャの少なくとも一部を実行した後に、送信のために出力される、
請求項１６に記載の方法。
【請求項２１】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
請求項１６に記載の方法。
【請求項２２】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
請求項１６に記載の方法。
【請求項２３】
前記インジケーションは、前記第１のフレームのスクランブラ初期化フィールドにおける１つまたは複数のビットを介して提供される、請求項１６に記載の方法。
【請求項２４】
装置によるワイヤレス通信のための方法であって、
ワイヤレスデバイスから、第１のフレームを取得することと、
前記第１のフレームの第１の部分におけるインジケーションに基づいて、前記装置に、前記第１のフレームの第２の部分における１つまたは複数のビームフォーミングトレーニングフィールドを取得するために、無指向性受信アンテナモードに切り替わることまたは無指向性受信アンテナモードに留まることを行わせることと
を備える方法。
【請求項２５】
前記第１のフレームの前記第１の部分は、ヘッダを備える、請求項２４に記載の方法。
【請求項２６】
前記装置と前記ワイヤレスデバイスとの間にリンクを確立するために、ビームフォーミングトレーニングプロシージャを実行することをさらに備え、
ここにおいて、前記第１のフレームは、前記装置と前記ワイヤレスデバイスとの間に前記リンクを確立した後に取得される、
請求項２４に記載の方法。
【請求項２７】
前記装置と前記ワイヤレスデバイスとの間にリンクを確立するために、セクタレベルスイープ（ＳＬＳ）プロシージャを実行することを少なくとも開始することをさらに備え、
ここにおいて、前記第１のフレームは、前記装置と前記ワイヤレスデバイスとの間にリンクを確立することなく、前記ＳＬＳプロシージャの少なくとも一部を実行した後に取得される、
請求項２４に記載の方法。
【請求項２８】
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスと前記第２のタイプのデバイスとの両方によって復号可能である、
請求項２４に記載の方法。
【請求項２９】
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスによって復号可能であるが、前記第２のタイプのデバイスによって復号可能でない、
請求項２４に記載の方法。
【請求項３０】
前記インジケーションは、前記第１のフレームの前記第１の部分のスクランブラ初期化フィールドにおける１つまたは複数のビットを介して取得される、請求項２４に記載の方法。
【請求項３１】
ワイヤレス通信のための装置であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成するための手段と、
送信のために前記第１のフレームを出力するための手段と
を備える装置。
【請求項３２】
前記インジケーションは、前記第１のフレームのヘッダにおいて提供される、請求項３１に記載の装置。
【請求項３３】
前記装置と前記少なくとも１つのワイヤレスデバイスとの間にリンクを確立するために、ビームフォーミングトレーニングプロシージャを実行するための手段をさらに備え、
ここにおいて、前記第１のフレームは、前記装置と前記少なくとも１つのワイヤレスデバイスとの間に前記リンクを確立した後、送信のために出力される、
請求項３１に記載の装置。
【請求項３４】
前記ビームフォーミングトレーニングプロシージャは、セクタレベルスイープ（ＳＬＳ）プロシージャを備え、
前記１つまたは複数のビームフォーミングトレーニングフィールドは、前記ＳＬＳプロシージャの結果に基づく方向において、送信のために出力される、
請求項３３に記載の装置。
【請求項３５】
前記装置と前記少なくとも１つのワイヤレスデバイスとの間にリンクを確立するために、セクタレベルスイープ（ＳＬＳ）プロシージャを実行することを少なくとも開始するための手段をさらに備え、
ここにおいて、前記第１のフレームは、前記装置と前記少なくとも１つのワイヤレスデバイスとの間にリンクを確立することなく、前記ＳＬＳプロシージャの少なくとも一部を実行した後に、送信のために出力される、
請求項３１に記載の装置。
【請求項３６】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスと前記第２のタイプのデバイスとの両方によって復号可能である、
請求項３１に記載の装置。
【請求項３７】
前記少なくとも１つのワイヤレスデバイスは、第２のタイプのデバイスと比べて拡張された能力を有する第１のタイプのデバイスを備え、
前記インジケーションは、前記第１のフレームのヘッダフィールドにおいて提供され、ここにおいて、前記インジケーションは、前記第１のタイプのデバイスによって復号可能であるが、前記第２のタイプのデバイスによって復号可能でない、
請求項３１に記載の装置。
【請求項３８】
前記インジケーションは、前記第１のフレームのスクランブラ初期化フィールドにおける１つまたは複数のビットを介して提供される、請求項３１に記載の装置。
【請求項３９】
ワイヤレス通信のための装置であって、
ワイヤレスデバイスから、第１のフレームを取得するための手段と、
前記第１のフレームの第１の部分におけるインジケーションに基づいて、前記装置に、前記第１のフレームの第２の部分における１つまたは複数のビームフォーミングトレーニングフィールドを取得するために、無指向性受信アンテナモードに切り替わることまたは無指向性受信アンテナモードに留まることを行わせるための手段と
を備える装置。
【請求項４０】
前記第１のフレームの前記第１の部分は、ヘッダを備える、請求項３９に記載の装置。
【請求項４１】
前記装置と前記ワイヤレスデバイスとの間にリンクを確立するために、ビームフォーミングトレーニングプロシージャを実行するための手段をさらに備え、
ここにおいて、前記第１のフレームは、前記装置と前記ワイヤレスデバイスとの間に前記リンクを確立した後に取得される、
請求項３９に記載の装置。
【請求項４２】
前記装置と前記ワイヤレスデバイスとの間にリンクを確立するために、セクタレベルスイープ（ＳＬＳ）プロシージャを実行することを少なくとも開始するための手段をさらに備え、
ここにおいて、前記第１のフレームは、前記装置と前記ワイヤレスデバイスとの間にリンクを確立することなく、前記ＳＬＳプロシージャの少なくとも一部を実行した後に取得される、
請求項３９に記載の装置。
【請求項４３】
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスと前記第２のタイプのデバイスとの両方によって復号可能である、
をさらに備える、請求項３９に記載の装置。
【請求項４４】
前記装置は、第２のタイプのデバイスと比べて拡張された能力を有する第１のタイプのデバイスを備え、
前記インジケーションは、前記第１のフレームの前記第１の部分のヘッダフィールドにおいて取得され、ここにおいて、前記インジケーションは、前記第１のタイプのデバイスによって復号可能であるが、前記第２のタイプのデバイスによって復号可能でない、
請求項３９に記載の装置。
【請求項４５】
前記インジケーションは、前記第１のフレームの前記第１の部分のスクランブラ初期化フィールドにおける１つまたは複数のビットを介して取得される、請求項３９に記載の装置。
【請求項４６】
ワイヤレス局であって、
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成するように構成された処理システムと、
送信のために前記第１のフレームを送信するように構成された送信機と
を備えるワイヤレス局。
【請求項４７】
ワイヤレス局であって、
ワイヤレスデバイスから、第１のフレームを受信するように構成された受信機と、
前記第１のフレームの第１の部分におけるインジケーションに基づいて、前記ワイヤレスデバイスに、前記第１のフレームの第２の部分における１つまたは複数のビームフォーミングトレーニングフィールドを取得するために、無指向性受信アンテナモードに切り替わることまたは無指向性受信アンテナモードに留まることを行わせるように構成された処理システムと
を備えるワイヤレス局。
【請求項４８】
指向性送信アンテナモードを使用して少なくとも１つのワイヤレスデバイスへの送信のために出力されるべき１つまたは複数のビームフォーミングトレーニングフィールドと、前記少なくとも１つのワイヤレスデバイスが、前記１つまたは複数のビームフォーミングトレーニングフィールドを受信するために、無指向性受信アンテナモードにあるべきかどうかのインジケーションとを有する第１のフレームを生成することと、
送信のために前記第１のフレームを出力することと
のための命令を記憶したコンピュータ可読媒体。
【請求項４９】
ワイヤレスデバイスから、第１のフレームを取得することと、
前記第１のフレームの第１の部分におけるインジケーションに基づいて、前記ワイヤレスデバイスに、前記第１のフレームの第２の部分における１つまたは複数のビームフォーミングトレーニングフィールドを取得するために、無指向性受信アンテナモードに切り替わることまたは無指向性受信アンテナモードに留まることを行わせることと
のための命令を記憶したコンピュータ可読媒体。
【発明の詳細な説明】
【関連出願の相互参照】
【０００１】
[0001]本特許出願は、２０１７年１月１３日に出願された米国特許仮出願第６２／４４６，２９０号、および２０１８年１月１０日に出願された米国特許出願第１５／８６７，５３０号の利益を主張し、その両方が、ここでの参照により本明細書に明確に組み込まれている。
【背景技術】
【０００２】
［本開示の分野］
[0002]本開示のある特定の態様は、一般にワイヤレス通信に関し、より詳細には、ビームフォーミングトレーニングプロシージャ中に受信アンテナモードをシグナリングすることに関する。
［関連技術の説明］
[0003]ワイヤレス通信システムのために求められる帯域幅要件の増大という問題に対処するために、複数のユーザ端末が、高いデータスループットを実現しながら、チャネルリソースを共有することによって単一のアクセスポイントと通信することを可能にするための異なるスキームが開発されている。多入力多出力（ＭＩＭＯ）技術は、近年、次世代通信システムのための広く普及している（popular）技法として台頭してきた、そのようなアプローチの１つを表す。ＭＩＭＯ技術は、米国電気電子学会（ＩＥＥＥ）８０２．１１規格などの、いくつかの台頭しつつあるワイヤレス通信規格において採用されてきた。ＩＥＥＥ８０２．１１規格は、短距離通信（例えば、数十メートルから数百メートル）用のＩＥＥＥ８０２．１１委員会によって開発されたワイヤレスローカルエリアネットワーク（ＷＬＡＮ）エアインターフェース規格のセットを表す。
【０００３】
[0004]ＭＩＭＯシステムは、データ送信のために、複数（ＮＴ個）の送信アンテナと、複数（ＮＲ個）の受信アンテナとを用いる。ＮＴ個の送信アンテナとＮＲ個の受信アンテナとによって形成されるＭＩＭＯチャネルは、ＮＳ個の独立チャネルに分解され得、それらは、空間チャネルとも呼ばれ、ここで、ＮＳ≦ｍｉｎ｛ＮＴ，ＮＲ｝である。ＮＳ個の独立チャネルの各々は、１つの次元に対応する。複数の送信アンテナと受信アンテナとによって作成される追加の次元（dimensionalities）が利用される場合、ＭＩＭＯシステムは、改善されたパフォーマンス（例えば、より高いスループットおよび／またはより大きい信頼性）を提供し得る。
【０００４】
[0005]単一のアクセスポイント（ＡＰ）と複数のユーザ局（ＳＴＡ）とを有するワイヤレスネットワークでは、同時並行の送信（concurrent transmissions）が、アップリンク方向とダウンリンク方向との両方において、異なる局に向かう複数のチャネル上で行われ得る。このようなシステムには、多くの課題が存在する。
【発明の概要】
【０００５】
[0006]本開示のシステム、方法、およびデバイスは、いくつかの態様をそれぞれ有し、それらのうちの何れも、その望ましい属性を単独で担うものではない。以下に続く特許請求の範囲によって表される本開示の範囲を限定することなく、ここでいくつかの特徴が簡潔に説明される。この説明を考慮した後、そして、特に「詳細な説明」と題するセクションを読んだ後であれば、本開示の特徴が、ワイヤレスネットワークにおけるアクセスポイントと局との間の改善された通信を含む利点をどのように提供するかが理解されよう。
【０００６】
[0007]本開示のある特定の態様は、ワイヤレス通信のための装置を提供する。装置は、概して、指向性送信アンテナモードを使用してワイヤレスデバイスへの送信のためにそれぞれ出力されるべき１つまたは複数のビームフォーミングトレーニングフィールドと、ワイヤレスデバイスが、１つまたは複数のビームフォーミングトレーニングフィールドを受信するために、無指向性受信アンテナモードにあるべきかどうかのインジケーションとを有する第１のフレームを生成するように構成された処理システムと、送信のために第１のフレームを出力するように構成された第１のインターフェースとを含む。
【０００７】
[0008]本開示のある特定の態様は、ワイヤレス通信のための装置を提供する。装置は、概して、指向性送信アンテナモードを使用してワイヤレスデバイスからの送信のためにそれぞれ出力された１つまたは複数のビームフォーミングトレーニングフィールドを有する第１のフレームを取得するように構成された第１のインターフェースと、第１のフレームにおいて取得されるインジケーションに応答して、装置に、１つまたは複数のビームフォーミングトレーニングフィールドを取得するために、無指向性受信アンテナモードに切り替わることまたは無指向性受信アンテナモードに留まることを行わせるように構成するように構成された処理システムとを含む。
【０００８】
[0009]本開示の態様は、概して、添付の図面を参照して本明細書で実質的に説明されるような、および添付の図面によって例示されるような、方法、装置、システム、コンピュータ可読媒体、および処理システムを含む。多数の他の態様が提供される。
【０００９】
[0010]前述および関連する目的の達成のために、１つまたは複数の態様が、以下で十分に説明され、かつ特許請求の範囲において具体的に示される特徴を備える。以下の説明および添付の図面は、１つまたは複数の態様のある特定の例示的な特徴を詳細に示す。しかしながら、これらの特徴は、様々な態様の原理が用いられ得る様々な方法のうちのごく一部を示すものであり、本説明は、全てのそのような態様およびそれらの同等物を含むように意図される。
【図面の簡単な説明】
【００１０】
[0011]本開示の上述された特徴が詳細に理解され得るように、上記では簡潔に概要を述べた、より詳細な説明が、態様への参照によって行われ得、そのいくつかは、添付の図面において例示される。しかしながら、添付の図面は、本開示のある特定の典型的な態様のみを例示しており、したがって、その範囲を限定するものと考えられるべきではないことに留意されたい。というのも、本説明は、同等に効果的な他の態様にも認められ得るものだからである。
【図１】[0012]図１は、本開示のある特定の態様による、例となるワイヤレス通信ネットワークの図である。
【図２】[0013]図２は、本開示のある特定の態様による、例となるアクセスポイントおよび例となるユーザ端末のブロック図である。
【図３】[0014]図３は、例となるビームフォーミングトレーニングプロシージャを例示する。
【図４】[0015]図４は、本開示のある特定の態様による、ビームフォーミングトレーニングを実行するための例となる動作を例示する。
【図４Ａ】[0016]図４Ａは、図４に示された動作を実行することが可能な例となる構成要素を例示する。
【図５】[0017]図５は、本開示のある特定の態様による、ビームフォーミングトレーニングを実行するための例となる動作を例示する。
【図５Ａ】[0018]図５Ａは、図５に示された動作を実行することが可能な例となる構成要素を例示する。
【図６】[0019]図６は、本開示のある特定の態様による、受信アンテナモードを示すためのスクランブラ初期化フィールドの例となる定義を例示する。
【図７】[0020]図７は、本開示のある特定の態様による、スクランブラ初期化フィールドの例となる定義を例示する。
【００１１】
[0021]理解を容易にするために、同一の参照番号が、可能な場合、図面に共通である同一の要素を指定するために使用される。一態様において説明される要素は、具体的な記載なしに他の態様に対して有益に利用され得ることが企図される。
【詳細な説明】
【００１２】
[0022]本開示のある特定の態様は、受信デバイスが、ビームフォーミングトレーニングフィールドを処理するために、無指向性受信アンテナモードを使用し得るか、または指向性受信アンテナモードを使用し得るかをシグナリングするための方法および装置を提供する。無指向性モードを使用することは、ビーム微調整フェーズ（beam refinement phase）が、セクタレベルスイープ（ＳＬＳ：sector level sweep）プロシージャの代わりに使用されることを可能にし得、これは、ビームフォーミングトレーニングに関連付けられたレイテンシを低減させるのに役立ち得る。
【００１３】
[0023]本開示の様々な態様が、添付の図面を参照して以下でより十分に説明される。しかしながら、本開示は、多くの異なる形態で具現化され得、本開示の全体にわたって提示される任意の特定の構造または機能に限定されるものとして解釈されるべきではない。むしろ、これらの態様は、本開示が十分かつ完全となり、当業者に本開示の範囲を十分に伝えるように提供される。本明細書での教示に基づいて、当業者は、本開示の範囲が、本開示のその他任意の態様とは独立してインプリメントされようと、あるいはそれと組み合わされてインプリメントされようと、本明細書で説明される本開示の任意の態様をカバーするように意図されていることを理解すべきである。例えば、本明細書で示される任意の数の態様を使用して、装置がインプリメントされ得、または方法が実施され得る。加えて、本開示の範囲は、本明細書で示される本開示の様々な態様に加えて、またはそれ以外の、他の構造、機能、または構造と機能を使用して実施されるそのような装置または方法をカバーするように意図される。本明細書で説明される本開示の任意の態様が、請求項の１つまたは複数の要素によって具現化され得ることが理解されるべきである。
【００１４】
[0024]「例示的（exemplary）」という用語は、本明細書では、「例、事例、または例示を提供する」という意味で使用される。「例示的」なものとして、本明細書で説明された任意の態様は、必ずしも他の態様よりも好ましいまたは有利であるようには解釈されるべきでない。
【００１５】
[0025]特定の態様が本明細書で説明されるが、これらの態様の多くの変形および置換が、本開示の範囲内に含まれる。好ましい態様のいくつかの利益および利点が述べられるが、本開示の範囲は、特定の利益、用途、または目的に限定されるようには意図されない。むしろ、本開示の態様は、異なるワイヤレス技術、システム構成、ネットワーク、および送信プロトコルに広く適用可能であるように意図されており、そのうちのいくつかは、図面および好ましい態様の以下の説明において、例として例示される。詳細な説明および図面は、限定ではなく、本開示の単なる例示であり、本開示の範囲は、添付の特許請求の範囲およびそれらの同等物によって定義されている。
［例となるワイヤレス通信システム］
[0026]本明細書で説明される技法は、直交多重化スキームに基づく通信システムを含む、様々なブロードバンドワイヤレス通信システムのために使用され得る。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、等を含む。ＳＤＭＡシステムは、複数のユーザ端末に属するデータを同時に送信するために、十分に異なる方向を利用し得る。ＴＤＭＡシステムは、送信信号を異なるタイムスロットに分割することによって、複数のユーザ端末が同じ周波数チャネルを共有することを可能にし得、各タイムスロットは、異なるユーザ端末に割り当てられている。ＯＦＤＭＡシステムは、直交周波数分割多重化（ＯＦＤＭ）を利用し、これは、システム帯域幅全体を複数の直交サブキャリアに分割する変調技法である。これらのサブキャリアはまた、トーン、ビン、等とも呼ばれ得る。ＯＦＤＭでは、各サブキャリアは、データで独立して変調され得る。ＳＣ−ＦＤＭＡシステムは、システム帯域幅にわたって分散されたサブキャリア上で送信するためにインターリーブドＦＤＭＡ（ＩＦＤＭＡ）を利用し、隣接サブキャリアのブロック上で送信するためにローカライズドＦＤＭＡ（ＬＦＤＭＡ）を利用し、または隣接サブキャリアの複数のブロック上で送信するためにエンハンストＦＤＭＡ（ＥＦＤＭＡ）を利用し得る。一般に、変調シンボルは、ＯＦＤＭでは周波数領域で、およびＳＣ−ＦＤＭＡでは時間領域で送られる。本明細書で説明される技法は、シングルキャリア（ＳＣ）およびＳＣ−ＭＩＭＯシステムに適用される任意のタイプで利用され得る。
【００１６】
[0027]本明細書での教示は、様々なワイヤードまたはワイヤレス装置（例えば、ノード）に組み込まれ得る（例えば、それらの内でインプリメントされるか、またはそれらによって実行される）。いくつかの態様では、本明細書での教示に従ってインプリメントされるワイヤレスノードは、アクセスポイントまたはアクセス端末を備え得る。
【００１７】
[0028]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、これらとしてインプリメントされるか、またはこれらとして知られ得る。
【００１８】
[0029]アクセス端末（「ＡＴ」）は、加入者局、加入者ユニット、モバイル局、遠隔局、遠隔端末、ユーザ端末、ユーザエージェント、ユーザデバイス、ユーザ機器、ユーザ局、または何らかの他の用語を備えるか、これらとしてインプリメントされるか、またはこれらとして知られ得る。いくつかのインプリメンテーションでは、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（例えば、セルラ電話またはスマートフォン）、コンピュータ（例えば、ラップトップ）、ポータブル通信デバイス、ポータブルコンピューティングデバイス（例えば、携帯情報端末）、エンターテインメントデバイス（例えば、音楽またはビデオデバイス、または衛星ラジオ）、全地球測位システムデバイス、またはワイヤレスまたはワイヤード媒体を介して通信するように構成されたその他任意の好適なデバイスに組み込まれ得る。いくつかの態様では、ノードは、ワイヤレスノードである。このようなワイヤレスノードは、例えば、ワイヤードまたはワイヤレス通信リンクを介して、ネットワーク（例えば、セルラネットワークまたはインターネットのようなワイドエリアネットワーク）のための、またはそれへの接続性を提供し得る。
【００１９】
[0030]図１は、アクセスポイントとユーザ端末とを有する多元接続多入力多出力（ＭＩＭＯ）システム１００を例示する。簡潔さのために、図１には１つのアクセスポイント１１０のみが示される。アクセスポイントは、一般に、ユーザ端末と通信する固定局であり、基地局または何らかの他の用語でも呼ばれ得る。ユーザ端末は、固定またはモバイルであり得、モバイル局、ワイヤレスデバイス、または何らかの他の用語でも呼ばれ得る。アクセスポイント１１０は、ダウンリンクおよびアップリンク上で、任意の所与の瞬間に１つまたは複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントのために調整および制御を提供する。
【００２０】
[0031]以下の開示の複数の部分が、空間分割多元接続（ＳＤＭＡ）を介して通信することが可能なユーザ端末１２０を説明する一方で、ある特定の態様では、ユーザ端末１２０はまた、ＳＤＭＡをサポートしないいくつかのユーザ端末を含み得る。したがって、そのような態様については、アクセスポイント（ＡＰ）１１０は、ＳＤＭＡユーザ端末と非ＳＤＭＡユーザ端末との両方と通信するように構成され得る。このアプローチは、好都合には、より古いバージョンのユーザ端末（「レガシー」局）が事業展開され続けることを可能にし、それらの耐用寿命を延長するとともに、より新しいＳＤＭＡユーザ端末が適宜導入されることを可能にし得る。
【００２１】
[0032]システム１００は、ダウンリンクおよびアップリンク上のデータ送信のために、複数の送信アンテナおよび複数の受信アンテナを用いる。アクセスポイント１１０は、Ｎａｐ個のアンテナを装備し、ダウンリンク送信については多入力（ＭＩ）およびアップリンク送信については多出力（ＭＯ）を表す。Ｋ個の選択されたユーザ端末１２０のセットは、ダウンリンク送信については多出力およびアップリンク送信については多入力を集合的に表す。純粋なＳＤＭＡでは、Ｋ個のユーザ端末のためのデータシンボルストリームが、何らかの手段によってコード、周波数、または時間において多重化されていない場合、Ｎａｐ≧Ｋ≧１を有することが望ましい。データシンボルストリームが、ＴＤＭＡ技法、ＣＤＭＡでの異なるコードチャネル、ＯＦＤＭでの互いに素なサブバンドのセット、等を使用して多重化され得る場合、Ｋは、Ｎａｐよりも大きくなり得る。各選択されたユーザ端末は、アクセスポイントにユーザ固有のデータを送信し、および／または、アクセスポイントからユーザ固有のデータを受信する。一般に、各選択されたユーザ端末は、１つまたは複数のアンテナ（すなわち、Ｎｕｔ≧１）を装備し得る。Ｋ個の選択されたユーザ端末は、同じまたは異なる数のアンテナを有し得る。
【００２２】
[0033]システム１００は、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために、単一のキャリアまたは複数のキャリアを利用し得る。各ユーザ端末は、（例えば、コストを抑えるために）単一のアンテナまたは（例えば、追加のコストがサポートされ得る場合）複数のアンテナを装備し得る。複数のユーザ端末１２０が、送信／受信を異なるタイムスロットに分割することによって、同じ周波数チャネルを共有する場合、システム１００はまた、ＴＤＭＡシステムであり得、各タイムスロットは、異なるユーザ端末１２０に割り当てられている。
【００２３】
[0034]図２は、ＭＩＭＯシステム１００におけるアクセスポイント１１０と、２つのユーザ端末１２０ｍおよび１２０ｘとのブロック図を例示する。アクセスポイント１１０は、Ｎｔ個のアンテナ２２４ａ〜２２４ｔを装備する。ユーザ端末１２０ｍは、Ｎｕｔ，ｍ個のアンテナ２５２ｍａ〜２５２ｍｕを装備し、ユーザ端末１２０ｘは、Ｎｕｔ，ｘ個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、ワイヤレスチャネルを介してデータを送信することが可能な独立して動作する装置またはデバイスであり、「受信エンティティ」は、ワイヤレスチャネルを介してデータを受信することが可能な独立して動作する装置またはデバイスである。以下の説明では、下付き文字「ｄｎ」はダウンリンクを示し、下付き文字「ｕｐ」はアップリンクを示し、Ｎｕｐ個のユーザ端末がアップリンク上の同時送信のために選択され、Ｎｄｎ個のユーザ端末がダウンリンク上の同時送信のために選択され、Ｎｕｐは、Ｎｄｎに等しいことも等しくないこともあり得、ＮｕｐおよびＮｄｎは、静的な値であり得るか、またはスケジューリング間隔ごとに変化し得る。ビームステアリングまたは何らかの他の空間処理技法が、アクセスポイントおよびユーザ端末において使用され得る。アクセスポイント１１０および／またはユーザ端末１２０は、図２に示されるように、別個の送信機および受信機構成要素または一体型トランシーバ（受信機／送信機）ユニット２２２／２５４を有し得る。
【００２４】
[0035]アップリンク上では、アップリンク送信のために選択された各ユーザ端末１２０において、ＴＸデータプロセッサ２８８が、データソース２８６からトラフィックデータおよびコントローラ２８０から制御データを受信する。ＴＸデータプロセッサ２８８は、ユーザ端末のために選択されたレートに関連付けられたコーディングおよび変調スキームに基づいて、ユーザ端末のためのトラフィックデータを処理し（例えば、符号化する、インターリーブする、および変調する）、データシンボルストリームを提供する。ＴＸ空間プロセッサ２９０は、データシンボルストリームに対して空間処理を実行し、Ｎｕｔ，ｍ個のアンテナにＮｕｔ，ｍ個の送信シンボルストリームを提供する。各送信機ユニット（ＴＭＴＲ）２５４は、アップリンク信号を生成するために、それぞれの送信シンボルストリームを受信して、処理する（例えば、アナログに変換する、増幅する、フィルタリングする、および周波数アップコンバートする）。Ｎｕｔ，ｍ個の送信機ユニット２５４は、Ｎｕｔ，ｍ個のアンテナ２５２からアクセスポイントへの送信のために、Ｎｕｔ，ｍ個のアップリンク信号を提供する。
【００２５】
[0036]Ｎｕｐ個のユーザ端末が、アップリンク上の同時送信のためにスケジュールされ得る。これらのユーザ端末の各々は、そのデータシンボルストリームに対して空間処理を実行し、その送信シンボルストリームのセットをアクセスポイントにアップリンク上で送信する。
【００２６】
[0037]アクセスポイント１１０において、Ｎａｐ個のアンテナ２２４ａ〜２２４ａｐは、アップリンク上で送信している全てのＮｕｐ個のユーザ端末からアップリンク信号を受信する。各アンテナ２２４は、受信された信号をそれぞれの受信機ユニット（ＲＣＶＲ）２２２に提供する。各受信機ユニット２２２は、送信機ユニット２５４によって実行されたものと相補的な処理を実行し、受信されたシンボルストリームを提供する。ＲＸ空間プロセッサ２４０は、Ｎａｐ個の受信機ユニット２２２からのＮａｐ個の受信されたシンボルストリームに対して受信機空間処理を実行し、Ｎｕｐ個の復元されたアップリンクデータシンボルストリームを提供する。受信機空間処理は、チャネル相関行列反転（ＣＣＭＩ）、最小平均２乗誤差（ＭＭＳＥ）、ソフト干渉除去（ＳＩＣ）、または何らかの他の技法に従って実行される。各復元されたアップリンクデータシンボルストリームは、それぞれのユーザ端末によって送信されたデータシンボルストリームの推定（estimate）である。ＲＸデータプロセッサ２４２は、復号されたデータを取得するために、そのストリームのために使用されたレートに従って、各復元されたアップリンクデータシンボルストリームを処理する（例えば、復調する、デインターリーブする、および復号する）。各ユーザ端末についての復号されたデータは、記憶のためにデータシンク２４４に提供され、および／または、さらなる処理のためにコントローラ２３０に提供され得る。
【００２７】
[0038]ダウンリンク上では、アクセスポイント１１０において、ＴＸデータプロセッサ２１０が、ダウンリンク送信のためにスケジュールされたＮｄｎ個のユーザ端末のために、データソース２０８からトラフィックデータを受信し、コントローラ２３０から制御データを受信し、場合によっては、スケジューラ２３４から他のデータを受信する。様々なタイプのデータは、異なるトランスポートチャネル上で送られ得る。ＴＸデータプロセッサ２１０は、そのユーザ端末のために選択されたレートに基づいて、各ユーザ端末のためのトラフィックデータを処理する（例えば、符号化する、インターリーブする、および変調する）。ＴＸデータプロセッサ２１０は、Ｎｄｎ個のユーザ端末のためのＮｄｎ個のダウンリンクデータシンボルストリームを提供する。ＴＸ空間プロセッサ２２０は、Ｎｄｎ個のダウンリンクデータシンボルストリームに対して（本開示において説明されるように、プリコーディングまたはビームフォーミングなどの）空間処理を実行し、Ｎａｐ個のアンテナのためのＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からユーザ端末への送信のために、Ｎａｐ個のダウンリンク信号を提供する。
【００２８】
[0039]各ユーザ端末１２０において、Ｎｕｔ，ｍ個のアンテナ２５２は、アクセスポイント１１０からＮａｐ個のダウンリンク信号を受信する。各受信機ユニット２５４は、関連付けられたアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリームに対して受信機空間処理を実行し、ユーザ端末のための復元されたダウンリンクデータシンボルストリームを提供する。受信機空間処理は、ＣＣＭＩ、ＭＭＳＥ、または何らかの他の技法に従って実行される。ＲＸデータプロセッサ２７０は、ユーザ端末のための復号されたデータを取得するために、復元されたダウンリンクデータシンボルストリームを処理する（例えば、復調する、デインターリーブする、および復号する）。
【００２９】
[0040]各ユーザ端末１２０において、チャネル推定器２７８は、ダウンリンクチャネル応答を推定して、ダウンリンクチャネル推定値を提供し、これは、チャネル利得推定値、ＳＮＲ推定値、雑音分散等を含み得る。同様に、チャネル推定器２２８は、アップリンクチャネル応答を推定して、アップリンクチャネル推定値を提供する。各ユーザ端末のためのコントローラ２８０は、典型的に、ユーザ端末のための空間フィルタ行列を、そのユーザ端末のためのダウンリンクチャネル応答行列Ｈｄｎ，ｍに基づいて導出する。コントローラ２３０は、有効アップリンクチャネル応答行列Ｈｕｐ，ｅｆｆに基づいて、アクセスポイントのための空間フィルタ行列を導出する。各ユーザ端末のためのコントローラ２８０は、アクセスポイントにフィードバック情報（例えば、ダウンリンクおよび／またはアップリンク固有ベクトル、固有値、ＳＮＲ推定値、等）を送り得る。コントローラ２３０および２８０はまた、それぞれ、アクセスポイント１１０およびユーザ端末１２０における様々な処理ユニットの動作を制御する。
【００３０】
[0041]例示されるように、図１および図２では、１つまたは複数のユーザ端末１２０は、例えば、ＵＬ  ＭＵ−ＭＩＭＯ送信の一部としてアクセスポイント１１０に、（例えば、図３Ａ〜図３Ｂに示される例となるフォーマットのうちの１つに従って）本明細書で説明されるようなプリアンブルフォーマットを有する、１つまたは複数の高効率ＷＬＡＮ（ＨＥＷ）パケット１５０を送り得る。各ＨＥＷパケット１５０は、１つまたは複数の空間ストリーム（例えば、最大４つまで）のセット上で送信され得る。ある特定の態様では、ＨＥＷパケット１５０のプリアンブル部分は、（例えば、図１０〜図１３、図１５、および図１６に例示される例となるインプリメンテーションのうちの１つに従って）トーンインターリーブドＬＴＦ、サブバンドベースのＬＴＦ、またはハイブリッドＬＴＦを含み得る。
【００３１】
[0042]ＨＥＷパケット１５０は、ユーザ端末１２０におけるパケット生成ユニット２８７によって生成され得る。パケット生成ユニット２８７は、ユーザ端末１２０の処理システムにおいて、例えば、ＴＸデータプロセッサ２８８、コントローラ２８０、および／またはデータソース２８６などにおいて、インプリメントされ得る。
【００３２】
[0043]ＵＬ送信後、ＨＥＷパケット１５０は、アクセスポイント１１０におけるパケット処理ユニット２４３によって処理され得る（例えば、復号および解釈実行される（interpreted））。パケット処理ユニット２４３は、アクセスポイント１１０の処理システムにおいて、例えば、ＲＸ空間プロセッサ２４０、ＲＸデータプロセッサ２４２、またはコントローラ２３０などにおいて、インプリメントされ得る。パケット処理ユニット２４３は、パケットタイプに基づいて（例えば、受信されたパケットが、ＩＥＥＥ８０２．１１規格へのどの改正に準拠するかにより）、受信されたパケットを異なって処理し得る。例えば、パケット処理ユニット２４３は、ＩＥＥＥ８０２．１１ＨＥＷ規格に基づいてＨＥＷパケット１５０を処理し得るが、レガシーパケット（例えば、ＩＥＥＥ８０２．１１ａ／ｂ／ｇに準拠するパケット）を、それと共に関連付けられた規格改正に従って、異なる方法で解釈実行し得る。
【００３３】
[0044]現在開発フェーズにあるＩＥＥＥ８０２．１１ａｙ規格などの、ある特定の規格は、既存の規格（例えば、８０２．１１ａｄ規格）に従うワイヤレス通信を６０ＧＨｚ帯へと拡張する。このような規格に含まれることになる例となる機能は、チャネルアグリゲーションおよびチャネルボンディング（ＣＢ：Channel-Bonding）を含む。一般に、チャネルアグリゲーションは、別個に保たれる複数のチャネルを利用し、一方、チャネルボンディングは、複数のチャネルの帯域幅を単一の（広帯域）チャネルとして処理する。
［例となるビームフォーミングトレーニングプロシージャ］
[0045]６０ＧＨｚなどの高周波（例えば、ミリ波（mmWave））通信システム（例えば、８０２．１１ａｄおよび８０２．１１ａｙ）では、通信は、良好なリンクを達成するために、両側にある指向性アンテナを使用する、ビームフォーミング（ＢＦ）に基づき得る。ビームフォーミング（ＢＦ）は、一般に、送信および／または受信アンテナ設定を調整して、後続の通信についてのリンクバジェットを達成するための、一対のＳＴＡによって使用されるメカニズムを指す。
【００３４】
[0046]図３に例示されるように、ＢＦトレーニングは、典型的に、ビーム微調整フェーズ（ＢＲＰ）によって後続されるセクタスイープを使用する局（この例では、ＳＴＡ１とＳＴＡ２）間のＢＦトレーニングフレーム送信の双方向シーケンスを伴う。例えば、ＡＰまたは非ＡＰ  ＳＴＡが、初期リンクを確立するために、このようなプロシージャを開始し得る。セクタスイープ中、各送信は、フレームにおいて識別される（ある特定の幅の指向性ビームをカバーする）異なるセクタを使用して送られ得、各ＳＴＡが送信と受信との両方に適切なアンテナシステム設定を決定することを可能にするために必要なシグナリングを提供する。
【００３５】
[0047]図３に例示されるように、ＡＰが多数の素子を有するケースでは、使用されるセクタは、比較的狭くなり、ＳＬＳ（セクタレベルスイープ）プロセスが長くなることを引き起こす。指向性が高いほど、より多くのセクタが使用され得、したがって、ＳＬＳは、より長くなり得る。例として、１００個のアンテナ素子のアレイを有するＡＰは、１００個のセクタを使用し得る。ＳＬＳは、スループット、電力消費に影響を及ぼすオーバーヘッドであり、トランスポートフローにおけるギャップを引き起こすので、この状況は望ましくない場合がある。
【００３６】
[0048]様々な技法は、スループット時間の低減を試みるために使用され得る。例えば、ショートＳＳＷ（ＳＳＳＷ）メッセージが、ＳＳＷメッセージの代わりに使用され得、これは、いくらかの時間を節約し得る（例えば、約３６％）。いくつかのケースでは、スループットは、このようなＡＰでは、送信機がいくつかのＲＦチェーンを介して送信し得る、という事実を利用することによって、低減され得る。これは、いくつかの単一チャネル上での並列送信を容易にする。それは、周波数のファクタ数（factor number of frequencies）（２、３、または４）によって、スキャンを短縮し得る。しかしながら、このアプローチは、複数の周波数のスキャンをサポートする受信機を伴い得、アプローチは、例えば、８０２．１１ａｄデバイスとの後方互換性がない場合がある。さらに、このアプローチは、局が前もってこの特別なモードを完全に認識していることを伴い得る。いくつかのケースでは、Ｔｘ  ＳＬＳ＋Ｒｘ  ＳＬＳまたはＴｘ  ＳＬＳ＋Ｒｘ  ＢＲＰが、新しいＴｘ＋Ｒｘ  ＢＲＰで置き換えられ得、ここで、１つの「非常に」長いＢＲＰメッセージのみが、多くのＴＲＮユニットと共に使用され得る。しかしながら、この方法は、非常に長いメッセージを伴い得るが、並行して複数のＳＴＡをサポートすることが可能であり得、このアプローチを、多数のＳＴＡを伴うケースに対して有効にする。
［例となる効率的なビームフォーミング技法］
[0049]本開示のある特定の態様は、受信デバイスが、ビームフォーミングトレーニングフィールドを処理するために、無指向性受信アンテナモードを使用し得るか、または指向性受信アンテナモードを使用し得るかをシグナリングするための方法および装置を提供する。このようなシグナリングは、実質的には、著しくより高速なセクタレベルスイープ（ＳＬＳ）として、（図３に示されるような）ビーム微調整フェーズが使用されることを可能にし得る。
【００３７】
[0050]図３を参照して、上記で説明されたように、従来のビームフォーミングプロシージャは、ＳＬＳを使用し、これは、受信機をトレーニングするためのＢＲＰ-ＲＸによって後続される、送信セクタレベルスイープである。その後、これは、追加のＢＲＰ−ＴＸによる送信機の微調整（fine tuning）によって後続され得る。ＢＲＰ−ＴＸの利点は、それが、ＳＬＳと比較して、より短い時間で行われることである。これは、例えば、各々が異なる方向に送られる、単一フレーム中の複数のトレーニングフィールドを使用することによって行われる。
【００３８】
[0051]従来のビームフォーミングプロシージャでは、受信機は、ＢＲＰ−ＴＸの間、指向性受信アンテナモードに維持される。しかしながら、本開示の態様は、ＢＲＰ−ＴＸを実行するために、ＢＲＰ−ＴＸの受信機に、それがそのアンテナを無指向性受信モードに切り替えてもよいことを示すインジケーションを、ＢＲＰ−ＴＸフレーム内に（例えば、ＰＨＹヘッダ中、またはＭＡＣ−ＩＥ中に）提供する。結果として、ＢＲＰ−ＴＸが、ＳＬＳの代わりに使用され得、実質的には、著しくより高速なＴＸ  ＳＬＳを提供する。
【００３９】
[0052]図４は、本開示のある特定の態様による、無指向性受信アンテナモードに切り替わるように受信機にシグナリングするための例となる動作４００を例示する。動作４００は、例えば、ＡＰまたはＢＳによって実行され得る。
【００４０】
[0053]動作４００は、４０２において、指向性送信アンテナモードを使用してワイヤレスデバイスへの送信のためにそれぞれ出力されるべき１つまたは複数のビームフォーミングトレーニングフィールドと、ワイヤレスデバイスが、１つまたは複数のビームフォーミングトレーニングフィールドを受信するために、無指向性受信アンテナモードにあるべきかどうかのインジケーションとを有する第１のフレームを生成することによって開始する。１つまたは複数のケースでは、インジケーションは、フレームの第１の部分において提供され得、ビームフォーミングトレーニングフィールドは、フレームの第２の部分において提供され得る。例えば、インジケーションは、第１のフレームのヘッダにおいて提供され得る。いくつかのケースでは、インジケーションは、第１のフレームのスクランブラ初期化フィールドにおける１つまたは複数のビットを介して提供される。いくつかのケースでは、ワイヤレスデバイスは、第２のタイプのデバイスと比べて拡張された能力（capability）を有する第１のタイプのデバイスを含み得る。さらに、インジケーションは、第１のタイプのデバイスと第２のタイプのデバイスとの両方によって復号可能であり得る。他のケースでは、インジケーションは、第１のタイプのデバイスによって復号可能であるが、第２のタイプのデバイスによって復号可能でない。４０４において、ＡＰは、送信のために第１のフレームを出力する。
【００４１】
[0054]いくつかのケースでは、方法は、装置とワイヤレスデバイスとの間にリンクを確立するために、ビームフォーミングトレーニングプロシージャを実行することと、装置とワイヤレスデバイスとの間にリンクを確立した後、送信のために第１のフレームを出力することとをさらに含み得る。ビームフォーミングトレーニングプロシージャは、セクタレベルスイープ（ＳＬＳ）プロシージャを含み得、ビームフォーミングトレーニングフィールドは、ＳＬＳプロシージャの結果に基づく方向において、送信のために出力され得る。１つまたは複数のケースでは、ＳＬＳプロシージャを実行することは、装置とワイヤレスデバイスとの間にリンクを確立し得る。いくつかのケースでは、第１のフレームは、装置とワイヤレスデバイスとの間にリンクを確立することなく、ＳＬＳプロシージャの少なくとも一部を実行した後に、送信のために出力され得る。
【００４２】
[0055]図５は、本開示のある特定の態様による、ビームフォーミング微調整フェーズ中に、無指向性受信アンテナモードに切り替わるための例となる動作５００を例示する。動作５００は、例えば、上記で説明された動作４００を実行するＡＰとのビームフォーミングトレーニングに参加しているＳＴＡによって実行され得る。
【００４３】
[0056]動作５００は、５０２において、指向性送信アンテナモードを使用してワイヤレスデバイスからの送信のためにそれぞれ出力された１つまたは複数のビームフォーミングトレーニングフィールドを有する第１のフレームを取得することによって開始する。５０４において、ＳＴＡは、第１のフレームにおいて取得されるインジケーションに応答して、装置に、１つまたは複数のビームフォーミングトレーニングフィールドを取得するために、無指向性受信アンテナモードに切り替わることまたは無指向性受信アンテナモードに留まることを行わせる。
【００４４】
[0057]図６は、本明細書で提示される技法がどのように高速ＳＬＳプロシージャを提供し得るかを例示する。示されるように、ＢＲＰ−ＴＸフレーム内で、ＳＴＡ１は、ビームフォーミングトレーニングフィールドを受信するために無指向性モードを使用するようにＳＴＡ２にシグナリングし得る。このプロシージャは、ＳＴＡ２が、ＢＲＰ−ＴＸフレーム中に含まれる複数のＴＲＮフィールドに基づいて、最適なセクタを迅速に選択することを可能にし得る。いくつかのケースでは、ＳＴＡ２はまた、ＳＴＡ２からＳＴＡ１に送られるＢＲＰ−ＴＸフレーム中のＴＲＮフレームを処理するために、無指向性受信アンテナモードを使用するようにＳＴＡ１にシグナリングし得る。
【００４５】
[0058]本開示は、ＢＲＰ−ＴＸが無指向性モードまたは指向性モードを使用して測定されるべきであることを受信機にシグナリングするための様々なオプションを提供する。例として、フレームが１つまたは複数のＢＲＰ−ＴＸ  ＴＲＮを備えるケースでは、無指向性または指向性測定を示すために、ビットがＥＤＭＧ−ヘッダ−Ａに追加され得る。いくつかのケースでは、ＤＭＧフレームのＬ−ヘッダにおけるビット（例えば、ビット番号３８−ビームトラッキング要求）が、（ＤＭＧまたはＥＤＭＧのいずれかで）フレームが１つまたは複数のＢＲＰ−ＴＸ  ＴＲＮを備えるケースにおいて、無指向性または指向性測定を示すために使用され得る。いくつかのケースでは、ＥＤＭＧフレームのＥＤＭＧ−ヘッダ−Ａにおけるビームトラッキング要求ビットが、１つまたは複数のＢＲＰ−ＴＸ  ＴＲＮを備えるフレームのケースにおいて、無指向性または指向性測定を示すために使用され得る。ＥＤＭＧのケースでは、ＣＰのためのＥＤＭＧ−ヘッダ−Ａ中の追加のビットを追加することが、インジケーションのために使用され得る。
【００４６】
[0059]ＤＭＧのケースでは、スクランブラシードの組合せ（scrambler seed combinations）のうちの１つが、インジケーションをシグナリングするために使用され得る。例えば、図７に例示されるように、制御トレーラビットは、［０ ０ ０ Ｘ］として定義され得ると共に、「Ｘ」ビットが、ＢＲＰ−ＴＸが無指向性モードまたは指向性モードを使用して測定されるべきかをシグナリングするために使用される。別の例として、ＥＤＭＧヘッダ中のビットは、［０ １ １ Ｘ］として定義され得ると共に、インジケーションが、「Ｘ」ビットを用いてシグナリングされる。このようにして、Ｘビットは、ＴＲＮの測定が無指向性（または準無指向性（quasi-Omni））アンテナパターンを使用して行われるべきであることを示すために、第１の値にセットされ（例えば、１にセットされる）、またはＴＲＮの測定が指向性受信アンテナ構成を使用して行われるべきであることを示すために、第２の値にセットされ得る（例えば、０にセットされる）。
【００４７】
[0060]上記で説明された方法の様々な動作は、対応する機能を実行することが可能な任意の好適な手段によって実行され得る。手段は、それに限定されるものではないが、回路、特定用途向け集積回路（ＡＳＩＣ）、またはプロセッサを含む、様々なハードウェアおよび／またはソフトウェアの（１つまたは複数の）コンポーネントおよび／または（１つまたは複数の）モジュールを含み得る。概して、図において例示される動作がある場合、これらの動作は、同様の番号付けを有する、対応する対をなすミーンズプラスファンクションのコンポーネントを有し得る。例えば、図４および図５に例示された動作４００および５００は、図４Ａおよび図５Ａに例示された手段４００Ａおよび５００Ａに対応する。
【００４８】
[0061]例えば、送信するための手段（または送信のために出力するための手段）は、図２に例示された、アクセスポイント１１０の送信機（例えば、送信機ユニット２２２）および／または（１つまたは複数の）アンテナ２２４、またはユーザ端末１２０の送信機ユニット２５４および／または（１つまたは複数の）アンテナ２５２を備え得る。受信するための手段（または取得するための手段）は、図２に例示された、アクセスポイント１１０の受信機（例えば、受信機ユニット２２２）および／または（１つまたは複数の）アンテナ２２４、またはユーザ端末１２０の受信機ユニット２５４および／または（１つまたは複数の）アンテナ２５４を備え得る。行わせるための手段（means for causing）、生成するための手段、実行するための手段、および実行することを開始するための手段は、処理システムを備え得、これは、図２に例示された、アクセスポイント１１０のＲＸデータプロセッサ２４２、ＴＸデータプロセッサ２１０、ＴＸ空間プロセッサ２２０、および／またはコントローラ２３０、またはユーザ端末１２０のＲＸデータプロセッサ２７０、ＴＸデータプロセッサ２８８、ＴＸ空間プロセッサ２９０、および／またはコントローラ２８０などの、１つまたは複数のプロセッサを含み得る。
【００４９】
[0062]いくつかのケースでは、フレームを実際に送信するのではなく、デバイスは、送信のためにフレームを出力するためのインターフェース（出力するための手段）を有し得る。例えば、プロセッサは、送信用の無線周波数（ＲＦ）フロントエンドに、バスインターフェースを介してフレームを出力し得る。同様に、フレームを実際に受信するのではなく、デバイスは、別のデバイスから受信されたフレームを取得するためのインターフェース（取得するための手段）を有し得る。例えば、プロセッサは、受信用のＲＦフロントエンドから、バスインターフェースを介してフレームを取得（または受信）し得る。いくつかのケースでは、送信のためにフレームを出力するためのインターフェースと、フレームを取得するためのインターフェースとが、単一のインターフェースとして一体化され得る。
【００５０】
[0063]本明細書で使用される場合、「決定すること」という用語は、幅広いアクションを包含する。例えば、「決定すること」は、計算すること（calculating）、コンピューティングすること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリ中のデータにアクセスすること）、および同様のことを含み得る。また、「決定すること」は、解決すること、選択すること、選ぶこと、確立すること、および同様のことを含み得る。
【００５１】
[0064]本明細書で使用される場合、アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに１つまたは複数のメンバの繰返し（multiples）（ａａ、ｂｂ、および／またはｃｃ）を含む組合せをカバーするように意図される。
【００５２】
[0065]本開示に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス（ＰＬＤ）、ディスクリートゲートまたはトランジスタロジック、ディスクリートハードウェアコンポーネント、あるいは本明細書で説明された機能を実行するように設計されたこれらの任意の組合せでインプリメントまたは実行され得る。汎用プロセッサは、マイクロプロセッサであり得るが、代替として、このプロセッサは、任意の商業的に利用可能なプロセッサ、コントローラ、マイクロコントローラ、またはステートマシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【００５３】
[0066]本開示に関連して説明されたアルゴリズムまたは方法のステップは、直接ハードウェアにおいて、プロセッサによって実行されるソフトウェアモジュールにおいて、またはこれら２つの組合せにおいて、具現化され得る。ソフトウェアモジュールは、当該技術分野で知られている任意の形態の記憶媒体内に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令、または多くの命令を備え得、いくつかの異なるコードセグメントにわたって、異なるプログラム間で、および複数の記憶媒体にわたって、分散され得る。記憶媒体は、プロセッサが、記憶媒体から情報を読み取り、また、記憶媒体に情報を書き込み得るように、プロセッサに結合され得る。代替として、記憶媒体は、プロセッサと一体化され得る。
【００５４】
[0067]本明細書で説明された方法は、説明された方法を達成するための1つまたは複数のステップまたはアクションを備える。方法のステップおよび／またはアクションは、特許請求の範囲から逸脱することなく互いに置き換えられ得る。換言すれば、ステップまたはアクションの特定の順序が明記されない限り、特定のステップおよび／またはアクションの順序および／または使用は、特許請求の範囲から逸脱することなく修正され得る。
【００５５】
[0068]説明された機能は、ハードウェア、ソフトウェア、ファームウェア、またはこれらの任意の組合せでインプリメントされ得る。ハードウェアでインプリメントされる場合、例となるハードウェア構成は、ワイヤレスノードにおける処理システムを備え得る。処理システムは、バスアーキテクチャを用いてインプリメントされ得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、バスを介してネットワークアダプタを処理システムに接続するために使用され得る。ネットワークアダプタは、ＰＨＹレイヤの信号処理機能をインプリメントするために使用され得る。ユーザ端末１２０のケース（図１を参照）では、ユーザインターフェース（例えば、キーパッド、ディスプレイ、マウス、ジョイスティック、等）がまた、バスに接続され得る。バスはまた、タイミングソース、周辺機器、電圧レギュレータ、電力管理回路、および同様のものなどの、様々な他の回路をリンクし得、これらは、当該技術分野において周知であり、したがって、これ以上は説明されない。
【００５６】
[0069]プロセッサは、バスの管理と、機械可読媒体上に記憶されたソフトウェアの実行を含む汎用処理とを担い得る。プロセッサは、１つまたは複数の汎用および／または専用プロセッサを用いてインプリメントされ得る。例は、マイクロプロセッサ、マイクロコントローラ、ＤＳＰプロセッサ、およびソフトウェアを実行し得る他の回路を含む。ソフトウェアは、ソフトウェア、ファームウェア、ミドルウェア、マイクロコード、ハードウェア記述言語、またはその他の方法で呼ばれるかにかかわらず、命令、データ、またはこれらの任意の組合せを意味するように広く解釈されるべきである。機械可読媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ、またはその他任意の好適な記憶媒体、あるいはこれらの任意の組合せを含み得る。機械可読媒体は、コンピュータプログラム製品において具現化され得る。コンピュータプログラム製品は、パッケージング材料を備え得る。
【００５７】
[0070]ハードウェアインプリメンテーションでは、機械可読媒体は、プロセッサとは別個の処理システムの一部であり得る。しかしながら、当業者が容易に理解するであろうように、機械可読媒体、またはその任意の部分は、処理システムの外部にあり得る。例として、機械可読媒体は、伝送線（transmission line）、データによって変調された搬送波、および／またはワイヤレスノードとは別個のコンピュータ製品を含み得、これら全ては、バスインターフェースを通じてプロセッサによってアクセスされ得る。代替または追加として、機械可読媒体、またはその任意の部分は、キャッシュおよび／または汎用レジスタファイルでのケースでそうであり得るように、プロセッサに一体化され得る。
【００５８】
[0071]処理システムは、プロセッサ機能を提供する１つまたは複数のマイクロプロセッサと、機械可読媒体の少なくとも一部を提供する外部メモリとを有し、全てが外部バスアーキテクチャを通じて他のサポート回路と共にリンクされている、汎用処理システムとして構成され得る。代替として、処理システムは、プロセッサ、バスインターフェース、アクセス端末のケースではユーザインターフェース、サポート回路、および単一のチップに一体化された機械可読媒体の少なくとも一部分を有するＡＳＩＣ（特定用途向け集積回路）でインプリメントされ得るか、または、１つまたは複数のＦＰＧＡ（フィールドプログラマブルゲートアレイ）、ＰＬＤ（プログラマブルロジックデバイス）、コントローラ、ステートマシン、ゲートロジック、ディスクリートハードウェアコンポーネント、または、その他任意の好適な回路、あるいは本開示全体を通して説明された様々な機能を実行し得る回路の任意の組合せでインプリメントされ得る。当業者であれば、特定のアプリケーションおよびシステム全体に課せられる全体的な設計制約に依存して、処理システムに関して説明された機能をインプリメントするのに最良の方法を認識するであろう。
【００５９】
[0072]機械可読媒体は、多数のソフトウェアモジュールを備え得る。ソフトウェアモジュールは、プロセッサによって実行されると、様々な機能を処理システムに実行させる命令を含む。ソフトウェアモジュールは、送信モジュールおよび受信モジュールを含み得る。各ソフトウェアモジュールは、単一の記憶デバイス内に存在し得るか、または複数の記憶デバイスにわたって分散され得る。例として、ソフトウェアモジュールは、トリガリングイベントが生じたときに、ハードドライブからＲＡＭにロードされ得る。ソフトウェアモジュールの実行中、プロセッサは、アクセス速度を増大させるために、命令のうちのいくつかをキャッシュにロードし得る。その後、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによってインプリメントされるということが理解されるであろう。
【００６０】
[0073]ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体とコンピュータ記憶媒体との両方を含む。記憶媒体は、コンピュータによってアクセスされ得る任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用され得、かつ、コンピュータによってアクセスされ得るその他任意の媒体を備え得る。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここで、ディスク（disks）は、通常磁気的にデータを再生し、一方ディスク（discs）は、レーザーを用いて光学的にデータを再生する。したがって、いくつかの態様では、コンピュータ可読媒体は、非一時的なコンピュータ可読媒体（例えば、有形媒体）を備え得る。加えて、他の態様では、コンピュータ可読媒体は、一時的なコンピュータ可読媒体（例えば、信号）を備え得る。上記の組合せもまた、コンピュータ可読媒体の範囲内に含まれるべきである。
【００６１】
[0074]したがって、ある特定の態様は、本明細書で提示された動作を実行するためのコンピュータプログラム製品を備え得る。例えば、このようなコンピュータプログラム製品は、その上に命令が記憶された（および／または符号化された）コンピュータ可読媒体を備え得、これら命令は、本明細書で説明された動作を実行するために、１つまたは複数のプロセッサによって実行可能である。ある特定の態様では、コンピュータプログラム製品は、パッケージング材料を含み得る。
【００６２】
[0075]さらに、本明細書で説明された方法および技法を実行するためのモジュールおよび／または他の適切な手段は、適宜、ユーザ端末および／または基地局によって、ダウンロードされ得ること、および／または、別の方法で取得され得ることが理解されるべきである。例えば、このようなデバイスは、本明細書で説明された方法を実行するための手段の転送を容易にするために、サーバに結合され得る。代替として、本明細書で説明された様々な方法は、ユーザ端末および／または基地局が、デバイスに記憶手段を結合または提供する際に、様々な方法を取得し得るように、記憶手段（例えば、ＲＡＭ、ＲＯＭ、コンパクトディスク（ＣＤ）またはフロッピーディスクなどの物理記憶媒体、等）を介して提供され得る。さらに、本明細書で説明された方法および技法をデバイスに提供するためのその他任意の好適な技法が利用され得る。
【００６３】
[0076]特許請求の範囲は、上記に例示された厳密な構成およびコンポーネントに限定されないことが理解されるべきである。様々な修正、変更、および変形が、特許請求の範囲から逸脱することなく、上記で説明された方法および装置の配置、動作および詳細において行われ得る。
【図１】
2020505831.tif 000002
【図２】
2020505831.tif 000003
【図３】
2020505831.tif 000004
【図４】
2020505831.tif 000005
【図４Ａ】
2020505831.tif 000006
【図５】
2020505831.tif 000007
【図５Ａ】
2020505831.tif 000008
【図６】
2020505831.tif 000009
【図７】
2020505831.tif 000010
【国際調査報告】
2020505831.tif 000011
2020505831.tif 000012
2020505831.tif 000013